【手続補正書】
【提出日】平成17年2月4日(2005.2.4)
【手続補正１】
【補正対象書類名】明細書
【補正対象項目名】全文
【補正方法】変更
【補正の内容】
【書類名】        明細書
【発明の名称】    アウトサート成形部材及び携帯型記録再生装置
【特許請求の範囲】
【請求項１】  金属製の基体とこの基体に一体に成形されて立設されている樹脂製の壁体とを具備するアウトサート成形部材において、
前記壁体を前記基体に沿って複数の壁部に区切ると共に隣接する前記壁部同士を接続する曲面部が前記壁部に一体に設けられていることを特徴とするアウトサート成形部材。
【請求項２】  前記曲面部が前記壁部よりも薄肉であることを特徴とする請求項１に記載のアウトサート成形部材。
【請求項３】  前記基体からの前記壁部の高さと前記基体からの前記曲面部の高さとが互いに等しいことを特徴とする請求項１に記載のアウトサート成形部材。
【請求項４】  金属製の基体とこの基体に一体に成形されて立設されている樹脂製の壁体とを具備するアウトサート成形部材が用いられている携帯型記録再生装置において、
前記壁体を前記基体に沿って複数の壁部に区切ると共に隣接する前記壁部同士を接続する曲面部が前記壁部に一体に設けられていることを特徴とする携帯型記録再生装置。
【請求項５】  前記曲面部が前記壁部よりも薄肉であることを特徴とする請求項４に記載の携帯型記録再生装置。
【請求項６】  前記基体からの前記壁部の高さと前記基体からの前記曲面部の高さとが互いに等しいことを特徴とする請求項４に記載の携帯型記録再生装置。
【発明の詳細な説明】
【０００１】
【発明の属する技術分野】
本願の発明は、金属製の基体とこの基体に一体に成形されて立設されている樹脂製の壁体とを具備するアウトサート成形部材及びこの様なアウトサート成形部材が用いられている携帯型記録再生装置に関するものである。
【０００２】
【従来の技術】
金属製の基体に樹脂製の構造体を一体に成形する所謂アウトサート成形は、各種の形状を有する部材を一体に形成することができ、その結果、この部材の低コスト化が可能であるので、多くの分野で採用されている。ところで、図３は、携帯用のカセット式記録再生装置のうちで板ガム状の２次電池の挿入部近傍を示している。
【０００３】
このカセット式記録再生装置に板ガム状の２次電池を挿入するためには、図３（ａ）に示す様に、カセット式記録再生装置１１の側面に取り付けられている蓋１２を側面に沿って摺動させる。そして、この状態から、図３（ｂ）に示す様に、蓋１２を回動させて挿入部１３を開放し、図３（ｂ）に示す様に、挿入部１３に２次電池１４を挿入する。
【０００４】
図３（ｂ）に示す様に、挿入部１３はカセット式記録再生装置１１の筐体やカセット式記録再生装置１１内の壁体１５等で構成されている。この壁体１５は上述のアウトサート成形によってシャーシに一体に成形されて立設されている。つまり、このカセット式記録再生装置１１には、金属製のシャーシと樹脂製の壁体１５とを具備するアウトサート成形部材が用いられている。
【０００５】
図４は、アウトサート成形部材の第１従来例を示している。この第１従来例のアウトサート成形部材２１では、金属製の基体２２に樹脂製の長尺の壁体２３が一体に成形されて立設されている。
【０００６】
図５は、アウトサート成形部材の第２従来例を示している。この第２従来例のアウトサート成形部材２４でも、金属製の基体２５に樹脂製の壁体２６が一体に成形されて立設されている。しかし、壁体２６は基体２５に沿って複数の短尺の壁部２６ａに区切られており、壁部２６ａ同士の間に隙間２６ｂが設けられている。
【０００７】
図６は、図３に示したカセット式記録再生装置１１に適用されており図５に示した第２従来例と同じタイプであるアウトサート成形部材を示している。従って、このアウトサート成形部材３１でも、金属製のシャーシ３２に樹脂製の壁体３３が一体に成形されて立設されており、壁体３３はシャーシ３２に沿って複数の壁部３３ａに区切られていて、壁部３３ａ同士の間に隙間３３ｂが設けられている。
【０００８】
【発明が解決しようとする課題】
ところが、樹脂は成形時に収縮し、また、金属と樹脂とでは線膨張率が異なっている。このため、図４に示した第１従来例のアウトサート成形部材２１では、例えば温度が変化すると、金属と樹脂との線膨張率の相違のために、図４（ａ）に示す様に、壁体２３がその面内で変形し、それに伴って基体２２もその面に垂直な方向に変形する。しかも、長尺の壁体２３では変形が多い。
【０００９】
また、温度が常温に戻った時に、図４（ｂ）に示す様に壁体２３にひび割れ２７が生じ易い。このため、この第１従来例のアウトサート成形部材２１では、歩留り及び信頼性が低かった。これに対して、図５に示した第２従来例のアウトサート成形部材２４では、壁体２６が基体２５に沿って複数の短尺の壁部２６ａに区切られており、短尺の壁部２６ａでは変形が少ない。
【００１０】
しかし、図６から明らかな様に、壁部３３ａ同士の間に隙間３３ｂが存在していると、２次電池１４の挿入部１３から隙間３３ｂを介してカセット式記録再生装置１１内に異物が侵入し易くて、カセット式記録再生装置１１の信頼性が低下する。このため、異物の侵入を防止するためにアウトサート成形部材３１とは別個の部品３４を用いて隙間のない壁形状が形成されており、この部品３４のためにカセット式記録再生装置１１のコストが増大していた。
【００１１】
つまり、従来のアウトサート成形部材２１、２４では、歩留り及び信頼性の向上と適用機器の低コスト化とを同時に達成することが困難であった。従って、本願の発明は、金属製の基体が変形しにくく且つ樹脂製の壁体にひび割れが生じにくくて、歩留り及び信頼性が高く、しかも、異物の侵入を防止するために別個の部品で隙間のない壁形状を形成する必要がなくて、適用機器の低コスト化が可能なアウトサート成形部材及びこの様なアウトサート成形部材が用いられている携帯型記録再生装置を提供することを目的としている。
【００１２】
【課題を解決するための手段】
本願の発明によるアウトサート成形部材及び携帯型記録再生装置では、壁体が基体に沿って複数の壁部に区切られているので、成形時の樹脂の収縮や金属と樹脂との線膨張率の相違等のために壁体がその面内で変形しても、各々の壁部では変形が少ない。
【００１３】
また、隣接する壁部同士を接続する曲面部が壁部に一体に設けられているが、曲面部が壁部よりも薄肉であれば、曲面部が弾性変形し易く、その結果、曲面部の開口幅が壁部の高さ方向に沿って変化し易い。このため、壁体が変形して、壁部の高さ方向に沿って壁部同士の間隔に差が生じても、曲面部の開口幅が変化することによって壁部同士の間隔の差が吸収される。
【００１４】
しかも、基体からの壁部の高さと基体からの曲面部の高さとが互いに等しければ、全体に亘って隙間が存在していなくて異物の侵入を防止することができる壁形状が樹脂製の壁体のみで形成されている。
【００１５】
【発明の実施の形態】
以下、本願の発明の一実施形態を、図１、２を参照しながら説明する。図１が、本実施形態を示している。図１（ａ）に示す様に、本実施形態のアウトサート成形部材４１でも、金属製の基体４２に樹脂製の壁体４３が一体に成形されて立設されており、壁体４３は基体４２に沿って複数の短尺の壁部４３ａに区切られている。
【００１６】
しかし、壁部４３ａ同士は壁部４３ａと一体の樹脂製で且つ断面がＵ字状の曲面部４３ｂによって接続されている。また、曲面部４３ｂは壁部４３ａよりも薄肉であり、基体４２からの壁部４３ａの高さと基体４２からの曲面部４３ｂの高さとが互いに等しい。
【００１７】
この様な本実施形態のアウトサート成形部材４１では、例えば温度が変化し、金属と樹脂との線膨張率の相違のために、図１（ｂ）に示す様に壁体４３がその面内で変形しても、壁体４３が基体４２に沿って複数の短尺の壁部４３ａに区切られており、短尺の壁部４３ａでは変形が少なくてひび割れが生じにくい。
【００１８】
また、曲面部４３ｂは壁部４３ａよりも薄肉であるので、曲面部４３ｂが弾性変形し易く、その結果、図１（ｂ）に示す様に曲面部４３ｂの開口幅が壁部４３ａの高さ方向に沿って変化し易い。このため、壁体４３が変形して、壁部４３ａの高さ方向に沿って壁部４３ａ同士の間隔に差が生じても、曲面部４３ｂの開口幅が変化することによって壁部４３ａ同士の間隔の差が吸収される。このため、基体４２が変形しにくく、壁体４３にひび割れが更に生じにくい。
【００１９】
しかも、基体４２からの壁部４３ａの高さと基体４２からの曲面部４３ｂの高さとが互いに等しいので、図１（ａ）から明らかな様に、全体に亘って隙間が存在していなくて異物の侵入を防止することができる壁形状が樹脂製の壁体４３のみで形成されている。このため、異物の侵入を防止するために別個の部品で隙間のない壁形状を形成する必要がない。
【００２０】
図２は、図３に示したカセット式記録再生装置１１に適用されており図１に示した実施形態と同じタイプであるアウトサート成形部材を示している。従って、このアウトサート成形部材４４でも、金属製のシャーシ４５に樹脂製の壁体４６が一体に成形されて立設されており、壁体４６はシャーシ４５に沿って複数の壁部４６ａに区切られていて、壁部４６ａ同士が曲面部４６ｂで接続されている。
【００２１】
このアウトサート成形部材４４では、壁部４６ａ同士の間に隙間が存在していないので、２次電池１４の挿入部１３から隙間を介してカセット式記録再生装置１１内に異物が侵入せず、カセット式記録再生装置１１の信頼性が高い。従って、図６に示したアウトサート成形部材３１の様に、異物の侵入を防止するためにアウトサート成形部材３１とは別個の部品３４を用いて隙間のない壁形状を形成する必要がない。
【００２２】
なお、本実施形態のアウトサート成形部材４１、４４では、図２からも明らかな様に曲面部４３ｂ、４６ｂの断面がＵ字状であるが、曲面部４３ｂ、４６ｂの断面は半円形や半楕円形やコ字状等であってもよい。また、図２に示したアウトサート成形部材４４は携帯型のカセット式記録再生装置１１における２次電池１４の挿入部１３に本願の発明を適用したものであるが、本願の発明はその他の装置にも適用することができる。
【００２３】
【発明の効果】
本願の発明によるアウトサート成形部材及び携帯型記録再生装置では、成形時の樹脂の収縮や金属と樹脂との線膨張率の相違等のために壁体がその面内で変形しても、各々の壁部では変形が少ないので、金属製の基体が変形しにくく且つ樹脂製の壁体にひび割れが生じにくくて、歩留り及び信頼性が高い。
【００２４】
また、曲面部が壁部よりも薄肉であれば、壁部の高さ方向に沿って壁部同士の間隔に差が生じても、曲面部の開口幅が変化することによって壁部同士の間隔の差が吸収されるので、金属製の基体が変形しにくく且つ樹脂製の壁体にひび割れが生じにくくて、歩留り及び信頼性が高い。
【００２５】
しかも、基体からの壁部の高さと基体からの曲面部の高さとが互いに等しければ、全体に亘って隙間が存在していなくて異物の侵入を防止することができる壁形状が樹脂製の壁体のみで形成されているので、異物の侵入を防止するために別個の部品で隙間のない壁形状を形成する必要がなくて、適用機器の低コスト化が可能である。
【図面の簡単な説明】
【図１】
本願の発明の一実施形態の側断面図であり、（ａ）は変形していない状態、（ｂ）は壁体が変形している状態を夫々示している。
【図２】
携帯型のカセット式記録再生装置に適用した一実施形態を示しており、（ａ）は（ｂ）のＡ矢視図、（ｂ）は平面図、（ｃ）は（ｂ）のＣ矢視図である。
【図３】
本願の発明を適用し得る携帯型のカセット式記録再生装置における２次電池の挿入部近傍を示しており、２次電池の挿入方法を順次に示す斜視図である。
【図４】
本願の発明の第１従来例の側断面図であり、（ａ）は変形している状態、（ｂ）は変形が回復した状態を夫々示している。
【図５】
本願の発明の第２従来例の側断面図である。
【図６】
携帯型のカセット式記録再生装置に適用した第２従来例を示しており、（ａ）は（ｂ）のＡ矢視図、（ｂ）は平面図、（ｃ）は（ｂ）のＣ矢視図である。
【符号の説明】
４１…アウトサート成形部材、４２…基体、４３…壁体、４３ａ…壁部、４３ｂ…曲面部、４４…アウトサート成形部材、４５…シャーシ（基体）、４６…壁体、４６ａ…壁部、４６ｂ…曲面部